(57)【要約】      （修正有）【課題】容器を重ねた場合でも、収容された食物が潰れるのを抑制する容器を提供する。【解決手段】食物が載置される載置部２０と、載置部の周囲を囲むと共に、自らの高さ方向中央部で載置部の周縁と接続され、載置部の下側に下方へ開放された空間を形成する周壁部３０と、を有する。【選択図】図２
0003187201.tif 000002
【実用新案登録請求の範囲】
【請求項１】
食物が載置される載置部と、
前記載置部の周囲を囲むと共に、自らの高さ方向中央部で前記載置部の周縁と接続され、前記載置部の下側に下方へ開放された空間を形成する周壁部と、
を有する容器。
【考案の詳細な説明】
【技術分野】
【０００１】
本考案は、容器に関する。
【背景技術】
【０００２】
特許文献１には、食物などを収容するための容器（食器）が開示されている。この容器は上方が開放された箱状に構成されている。すなわち、特許文献１の容器は、底部と、その底部の周囲を囲む周壁部と、を有している。
【先行技術文献】
【特許文献】
【０００３】
【特許文献１】実用新案登録第３１６６６４６号公報
【考案の概要】
【考案が解決しようとする課題】
【０００４】
特許文献１の容器では、周壁部の上端よりも上側にはみ出すように食物を収容した場合に、容器を重なると、下側の容器に収容された食物が、上側に容器の底部によって潰れてしまうという問題がある。
【０００５】
本考案は、上記事実に鑑み、容器を重ねた場合でも、容器に収容された食物が潰れるのを抑制することを課題とする。
【課題を解決するための手段】
【０００６】
請求項１に記載の考案に係る容器は、食物が載置される載置部と、前記載置部の周囲を囲むと共に、自らの高さ方向中央部で前記載置部の周縁と接続され、前記載置部の下側に下方へ開放された空間を形成する周壁部と、を有する。
【０００７】
請求項１に記載の考案によれば、食物が載置される載置部が、周壁部の高さ方向中央部で周壁部と接続されており、下方へ開放された空間が載置部の下側に形成されている。
【０００８】
このため、周壁部の上端よりも上側にはみ出すように食物を収容した容器に対して、請求項１に係る容器を重ねた場合でも、食物は、下方へ開放された空間によって載置部の底面までの距離が確保される。このため、容器に収容した食物が潰されることを抑制できる。
【０００９】
なお、請求項１に係る容器が重ねられる下側の容器は、請求項１に係る容器と同じ容器であっても、異なる容器であってもよい。
【考案の効果】
【００１０】
本考案は、上記構成としたので、容器を重ねた場合でも、容器に収容された食物が潰れることを抑制できる。
【図面の簡単な説明】
【００１１】
【図１】本実施形態に係る野菜皿の斜視図である。
【図２】（Ａ）本実施形態に係る野菜皿の平面図である。（Ｂ）本実施形態に係る野菜皿のＡ−Ａ線断面図である。（Ｃ）本実施形態に係る野菜皿のＢ−Ｂ線断面図である。
【図３】本実施形態に係る野菜皿の底面図である。
【図４】本実施形態に係る野菜皿を重ねた状態を示す側面図である。
【図５】比較例に係る野菜皿を重ねた状態を示す側面図である。
【考案を実施するための形態】
【００１２】
以下に、本考案に係る実施形態の一例を図面に基づき説明する。
【００１３】
（本実施形態に係る野菜皿１０）
本実施形態では、容器の一例として、野菜を盛るための野菜皿１０について説明する。図１は、野菜皿１０の斜視図である。図２（Ａ）は、野菜皿１０の平面図である。図２（Ｂ）は、野菜皿１０のＡ−Ａ線断面図である。図２（Ｃ）は、野菜皿１０のＢ−Ｂ線断面図である。図３は、野菜皿１０の底面図である。
【００１４】
図１に示されるように、野菜皿１０は、野菜（食物の一例）が載置される載置部２０と、載置部２０の周囲を囲む周壁部３０と、を有している。この載置部２０と周壁部３０とによって、野菜皿１０は、上方が開放された箱状に構成されている。
【００１５】
野菜皿１０は、一例として、樹脂材料により一体成型で形成されている。なお、野菜皿１０の材料及び製造方法は、これに限られるものではない。また、載置部２０に載置される食物としては、野菜に限られず、肉、魚など、他の食物であってもよい。また、載置部２０に載置される食物としては、調理前のものであってもよいし、調理後のものであってもよい。
【００１６】
載置部２０は、図２（Ｂ）及び図２（Ｃ）に示されるように、上下方向に厚みを有する板状に構成されている。また、載置部２０は、図２（Ａ）に示されるように、平面視にて、角が丸められた四角形状（具体的には、正方形状）に形成されている。すなわち、載置部２０は、平面視にて、４つの直線状の第１縁部２１と、４つの円弧状の第２縁部２２と、を有している。この４つの第１縁部２１及び４つの円弧状の第２縁部２２によって、載置部２０の周縁２３（外周部分）が構成されている。
【００１７】
また、載置部２０の上面（載置面）２６は、図２（Ａ）及び図２（Ｂ）に示されるように、図中の矢印Ｙ方向に凹部２６Ａと凸部２６Ｂが連続する波形状に形成されている。各凹部２６Ａ及び各凸部２６Ｂは、図２（Ａ）及び図２（Ｃ）に示されるように、図中の矢印Ｘ方向に沿って形成されている。なお、載置部２０の下面（底面）２８は、図２（Ｂ）及び図２（Ｃ）に示されるように、平面状に形成されている。
【００１８】
周壁部３０は、図２（Ａ）に示されるように、載置部２０の周縁２３（４つの第１縁部２１及び４つの第２縁部２２）に沿って形成されている。すなわち、周壁部３０は、載置部２０における直線状の第１縁部２１に沿った４つの側壁部３１と、載置部２０における円弧状の第２縁部２２に沿った４つの円弧壁部３２と、で構成されている。
【００１９】
さらに、周壁部３０は、図２（Ｂ）及び図２（Ｃ）に示されるように、自らの高さ方向中央部で載置部２０の周縁２３と接続（連結）されている。すなわち、周壁部３０は、載置部２０からその上方及び下方へ延出している。
【００２０】
これにより、載置部２０の上側には、周壁部３０と載置部２０とによって、上方に開放された上空間３５が形成される。この上空間３５は、載置部２０に載せられた野菜が収容される収容空間となる。また、載置部２０の下側には、周壁部３０と載置部２０とによって、下方に開放された下空間３６が形成される。なお、周壁部３０の載置部２０からその上方へ延出する長さＬ１（図２（Ｃ）参照）と、周壁部３０の載置部２０からその下方へ延出する長さＬ２（図２（Ｃ）参照）とは、略同一の長さとなっている。
【００２１】
周壁部３０の下端側の四隅には、図３、図２（Ｂ）及び図２（Ｃ）に示されるように、下方へ突出する脚部４０が設けられている。脚部４０は、円弧壁部３２の内周側に配置されている。これにより、野菜皿１０を重ねた場合には、図４に示されるように、上側の野菜皿１０の脚部４０が、下側の野菜皿１０の周壁部３０（円弧壁部３２）の内周側に入り込むようになっている。
【００２２】
（本実施形態に係る作用）
次に、本実施形態に係る作用を説明する。
本実施形態では、野菜皿１０（以下、１０Ａと示す）の載置部２０に野菜を載せる。そして、載置部２０に野菜が載せられた野菜皿１０Ａの上に、野菜皿１０Ａとは別の野菜皿１０（以下、１０Ｂと示す）を重ねる（図４参照）。
【００２３】
この場合において、下側の野菜皿１０Ａにおいて周壁部３０の上端よりも上側にはみ出すように、野菜を載置部２０に載せた（盛った）場合でも、上側の野菜皿１０Ｂの下空間３６によって、野菜皿１０Ｂの載置部２０の底面２８までの距離が確保される。
【００２４】
一方、図５に示されるように、周壁部３０が載置部２０の下方に延出されず、載置部２０の下側に下空間３６を有さない比較例に係る野菜皿１００Ａ、１００Ｂを重ねた場合では、下側の野菜皿１００Ａにおいて周壁部３０の上端よりも上側にはみ出すように、野菜を載置部２０に載せると、上側の野菜皿１００Ｂの載置部２０の底面２８によって、野菜が潰されてしまう。
【００２５】
これに対して、本実施形態では、前述のように、野菜皿１０Ｂの載置部２０の底面２８までの距離が確保されるので、野菜皿１０Ａに収容した野菜が、野菜皿１０Ｂの載置部２０の底面２８で潰されることを抑制できる。
【００２６】
なお、野菜皿１０Ａが重ねられる下側の容器としては、比較例に係る野菜皿１００Ｂであってもよい。
【００２７】
以上、本考案の実施形態について説明したが、本考案は、上記に限定されるものでなく、上記以外にも、その主旨を逸脱しない範囲内において種々変形して実施可能であることは勿論である。
【符号の説明】
【００２８】
１０   野菜皿（容器の一例）
２０   載置部
３０   周壁部
３６   下空間(空間の一例）
【図１】
0003187201.tif 000003
【図２】
0003187201.tif 000004
【図３】
0003187201.tif 000005
【図４】
0003187201.tif 000006
【図５】
0003187201.tif 000007